(57)【要約】品物を保管するための空間を有する冷蔵庫又は冷凍庫のキャビネット（１０）において、蒸発器（３８）は、キャビネットの後壁（１８）に沿って延び、チャンバー（５２）を斜め方向に画定する。チャンバーはまた、後壁（１８）及び後壁の前に配置された中間壁（４４）により画定される。中間壁（４４）には開口部（５４）が設けられ、その開口部を通じてインペラ（５６）が空間（２９）から空気を吸い込み、その空気をチャンバー（５２）内に吹き込む。チャンバーの断面積が鉛直方向に減少していくことにより、空気は、蒸発器を横方向に通り過ぎて後壁に沿って空間内に流れる前に、蒸発器（３８）に沿って均一に分配される。さらにその空気は、後壁から、空間に配置された複数の棚の間の空間を流通し、開口部（５４）に戻る。
2004506172.tif 000002
【特許請求の範囲】
【請求項１】
本発明は、品物のための空間（２９）と空気を冷やすための要素（３８；３８Ａ）とを有する冷蔵庫又は冷凍庫のキャビネット（１０）であって、前記空間は、後壁（１８）、２つの側壁（それぞれ２０及び２２）、上壁（２４）、底壁（２６）及びドア（５８）によって画定され、ファンのインペラ（５６）によって前記要素を通って循環させられる空気が、前記品物を冷やすために前記空間（２９）を通ってさらに循環させられる、キャビネットにおいて、
前記要素（３８；３８Ａ）は前記後壁（１８）に沿って延びてチャンバー（５２）を斜め方向に画定し、該チャンバー（５２）はさらに、前記後壁（１８）及び該後壁の前に配置された中間壁（４４）によって画定され、該中間壁（４４）には開口部（５４；５４Ａ）が設けられ、該開口部（５４；５４Ａ）を通じて前記インペラ（５６）が前記空間（２９）から空気を吸い込み、前記開口部（５４；５４Ａ）から前記インペラ（５６）は前記空気を前記チャンバー（５２）内に吹き込み、該チャンバー（５２）の断面積が鉛直方向に減少していくことにより、前記空気は、前記要素（３８；３８Ａ）を横方向に通り過ぎて前記後壁に沿って前記空間（２９）内に流れる前に、前記要素に沿って均一に分配され、前記空気は、前記後壁（１８）から、前記空間に配置された複数の棚（３０）の間の空間を通ってさらに循環させられ、前記開口部（５４）に戻ることを特徴とするキャビネットに関する。
【請求項２】
前記中間壁（４４）が前記後壁（１８）に実質的に平行であり、前記要素（３８；３８Ａ）が前記中間壁（４４）に覆われることを特徴とする請求項１に記載のキャビネット。
【請求項３】
前記要素（３８）は長くかつ細い形状を有し、前記開口部（５４）は前記中間壁（４４）の上部に配置されることを特徴とする請求項２に記載のキャビネット。
【請求項４】
前記要素（３８Ａ）はＶ字の形状を有し、前記開口部（５４Ａ）は前記Ｖ字（図５）の先端と同じ高さに配置されることを特徴とする請求項２に記載のキャビネット。
【請求項５】
実質的矩形形状を有する前記中間壁（４４）は、前記底壁（２６）から前記上壁（２４）まで、及び前記側壁の一方（２２）から他方（２０）に向けて延び、それにより前記中間壁（４４）は前記後壁（１８）を横方向に覆うことを特徴とする請求項１に記載のキャビネット。
【請求項６】
前記中間壁（４４）が、前記側壁（それぞれ２０及び２２）の間の距離の約６０％まで延びることを特徴とする請求項３に記載のキャビネット。
【発明の詳細な説明】
【０００１】
本発明は、品物のための空間と、空気を冷やすための要素とを有する冷蔵庫又は冷凍庫のキャビネットに関する。空間は、後壁、２つの側壁、上壁、底壁及びドアによって画定される。ファンのインペラによって要素を通って循環させられる空気は、品物を冷やすためにその空間を通ってさらに循環させられる。
【０００２】
本発明の目的は、そのようなキャビネットにおいて、品物を冷やすために空間を流通する空気を均一に分配すると同時に、空気の循環が最小限の空間で行えるようにすることである。
【０００３】
この目的は、本発明に係る以下のようなキャビネットにより達せられる。要素は後壁に沿って延びてチャンバーを斜め方向に画定する。チャンバーはさらに、後壁及び後壁の前に配置された中間壁によって画定される。中間壁には開口部が設けられ、開口部を通じてインペラが空間から空気を吸い込む。そこからインペラは空気をチャンバー内に吹き込む。チャンバーの断面積が鉛直方向に減少していくことにより、空気は、要素を横方向に通り過ぎて後壁に沿って空間内に流れる前に、要素に沿って均一に分配される。そこから空気は、空間に配置された複数の棚の間の空間を通ってさらに循環させられ、開口部に戻る。
【０００４】
本発明に係る冷蔵庫又は冷凍庫のキャビネットの実施形態は、添付図面と関連して、以下に説明される。
【０００５】
図１〜図４を参照すると、参照符号１０で示される冷蔵庫又は冷凍庫のキャビネットは、鉄板又はプラスチックの外側シェル１２、プラスチックの内側シェル１４、及びこれらのシェルの間に通常の方法で設けられる断熱材１６から構成される。内側シェル１４は後壁１８、２つの側壁２０及び２２、上壁２４並びに底壁２６を有し、底壁２６の向こう側には冷却装置（図示せず）を収容するための部屋２８が配置される。これらの壁は、品物を保管するための複数の棚３０とともに空間２９を囲繞する。
【０００６】
後壁１８は平坦部分３２と平面を有する窪み部分である矩形の底３４とを有し、底３４はアーチ状部分３６によって部分３２と結合している。Ｕ字形状に曲げられた管４０により構成されるとともにフランジ４２を備えた直線的で長くかつ細い蒸発器３８は、底３４上に斜めに配置される。蒸発器３８及び底３４は矩形の中間壁４４により覆われる。中間壁４４は、底３４に平行であるとともに、その３つのエッジに沿って、部分３２が有するバンド形状の窪み４６に当接する。従って蒸発器３８、底３４、中間壁４４並びに壁１８の鉛直部分４８及び水平部分５０の間には、楔形状のチャンバー５２が形成され、その断面積は下に向かって小さくなっていく。中間壁４４は、側壁２２及び２０の間の距離の約６０％まで延びる。
【０００７】
中間壁４４の上部は開口部５４を有し、開口部５４には、空間２９から空気を吸い込んでチャンバー５２内に空気を吹き込むためにファンの電気式駆動インペラ５６が配置される。流れに関しては本質的にある程度知られた楔形状のチャンバーにより、空気は、チャンバー内で蒸発器に沿って均一に分散し、その後、蒸発器に沿って均一に分散しつつ蒸発器を通って横方向に流れ、アーチ状表面３６によって空間２９内の複数の棚３０の間から流出する。次に空気は、各々の棚の前エッジに向けて流れ、その前エッジにおいて上方に向きを変え、キャビネットのドア５８に沿って流れて、開口部５４に戻る。
【０００８】
開口部５４は、中間壁４４内の異なる高さに配置可能である。図５に従う実施形態においては、開口部５４は中間壁の概ね半分の高さに配置され、Ｖ字形状を有する蒸発器３８Ａによって空気が均一に分散される。Ｖ字の先端は、開口部５４Ａと同じ高さに配置される。
【０００９】
空気の流線は、破線矢印で図示されている。
【図面の簡単な説明】
【図１】
ドアが除去されるとともに、棚と蒸発器を覆う中間壁とを備えたキャビネットの前面図である。
【図２】
図１のＩＩ−ＩＩにおける断面図である。
【図３】
図１のＩＩＩ−ＩＩＩにおける断面図である。
【図４】
棚及び中間壁が除去された以外は図１と同一の図である。
【図５】
蒸発器がＶ字形状を有する、図１〜図４に関する実施形態の変形例を示す図である。
【国際公開パンフレット】
2004506172.tif 000003
2004506172.tif 000004
2004506172.tif 000005
2004506172.tif 000006
2004506172.tif 000007
2004506172.tif 000008
2004506172.tif 000009
2004506172.tif 000010
2004506172.tif 000011
【国際調査報告】
2004506172.tif 000012
2004506172.tif 000013
2004506172.tif 000014